(57)【特許請求の範囲】
【請求項１】
地面に植栽されている長根菜を引き抜く際に使用する引抜き補助装置であって、
圧力水供給源に接続され、この圧力水供給源より供給された圧力水を複数方向に分流させる分流路を有する基体と、
前記基体に、前記各分流路と連通するようにして上端部が接続され、前記長根菜を囲む地面の複数箇所に挿し込み可能な下端が閉塞された縦長パイプ状をなし、かつ前記長根菜を挟んで対向する対向面に圧力水を吐出可能な複数の吐出孔が形成された複数の挿し込み管
とを備えることを特徴とする長根菜の引抜き補助装置。
【請求項２】
基体に、複数１組の挿し込み管を、長根菜の植栽間隔とほぼ等しい間隔をもって、複数組設けてなる請求項１記載の長根菜の引抜き補助装置。
【請求項３】
各挿し込み管の下端にも吐出孔を設けてなる請求項１または２記載の長根菜の引抜き補助装置。
【請求項４】
基体に、複数のエルボ管を、各分流路と連通するように着脱可能に取付けるとともに、各エルボの下端部に、挿し込み管の上端部を着脱可能に取付けてなる請求項１〜３のいずれかに記載の長根菜の引抜き補助装置。
【請求項５】
地面に植栽されている長根菜を引き抜く際に使用する引抜き補助装置であって、
圧力水供給源に接続され、内部に送水路を有する基体と、
圧力水を吐出可能な複数の吐出孔を有する内筒とそれを囲む外筒との間に、下端が閉塞された環状の通水路が形成され、かつ前記基体に、前記送水路と通水路とが連通するようにして上端部が接続された、前記長根菜の全周を囲むようにして地面に挿し込み可能な挿し込み管
とを備えることを特徴とする長根菜の引抜き補助装置。
【請求項６】
基体に、複数の挿し込み管を、地面の長根菜の植栽間隔とほぼ等しい間隔をなすようにして設けてなる請求項５記載の長根菜の引抜き補助装置。
【発明の詳細な説明】
【技術分野】
【０００１】
本発明は、圃場等に植栽されている長芋や牛蒡、大根等の長根菜を、簡単に引き抜く方法、及びその実施に使用される引抜き補助装置に関する。
【背景技術】
【０００２】
上記した長芋や牛蒡等の長根菜は、根部が地中深くで成育するため、茎葉部を把持して無理に引き抜くと、根部が途中で切損したり損傷したりしやすく、商品価値を低下させることとなる。
そのため、長芋や牛蒡等においては、それらの植栽畝の一側部の土を、長根菜に沿って、スコップ等により深く掘り起こし、土を除去してから引き抜くのが一般的である。しかし、このような方法では、作業能率が悪く、かつ引抜き作業に多大の労力を必要とする。
この問題を解消するものとして、特許文献１には、圃場を牽引または自走して走行する機体に、せり上げ板を、長芋等の根部の下方に挿入しうるように設け、根部を植栽畝の土と一緒にせり上げることにより、長芋等を自動的に掘り出しうるようにした堀取装置が記載されている。
【０００３】
また、長根菜の引き抜き用ではないが、例えば特許文献２に記載されているように、柄の根元より圧入した水を、柄の先端に設けた複数の耕刃の先端または側面より吐出させ、レンコンの周囲の泥を軟らかくすることにより、これを掘り起こしやすくするようにしたレンコン掘り用の鍬もある。
【先行技術文献】
【特許文献】
【０００４】
【特許文献１】特開平５−１２３０２２号公報
【特許文献２】特開２００１−２９９０３５号公報
【発明の概要】
【発明が解決しようとする課題】
【０００５】
上記特許文献１に記載されている堀取装置は、大型で高価な機械であるため、規模の小さな農家で使用するのには、経済的負担が大きく、かつ狭い圃場では有効に使用できないという問題がある。
特許文献２に記載されている鍬は、横向きに成育するレンコンを掘り出すのには効果的であるが、長芋や牛蒡等、地中深くで成育する長根菜の引き抜き用としては適しない。その理由は、鍬の耕刃を長根菜の近くの地中に挿し込み、その先端または側面より水を吐出させただけでは、耕刃と反対側の長根菜の土まで十分に水が回り込まないため、長根菜の周囲の土が軟らかくなるまでにかなりの時間を要し、その引抜き作業が非能率的となるからである。
【０００６】
本発明は、上記問題点に鑑みてなされたもので、長根菜の周囲の土を軟化させことにより、すなわち、その流動性を高めることにより、長根菜を、容易に、かつ効率よく引き抜くことができるようにした、長根菜の引抜き補助装置を提供することを目的としている。
【課題を解決するための手段】
【０００７】
本発明の長根菜の引抜き補助装置によると、上記課題は、次の各項のようにして解決される。
（１）地面に植栽されている長根菜を引き抜く際に使用する引抜き補助装置であって、圧力水供給源に接続され、この圧力水供給源より供給された圧力水を複数方向に分流させる分流路を有する基体と、前記基体に、前記各分流路と連通するようにして上端部が接続され、前記長根菜を囲む地面の複数箇所に挿し込み可能な下端が閉塞された縦長パイプ状をなし、かつ前記長根菜を挟んで対向する対向面に圧力水を吐出可能な複数の吐出孔が形成された複数の挿し込み管とを備えるものとする。
【０００８】
このような構成とすると、複数の挿し込み管を、長根菜を囲む地面の複数箇所に挿し込み、各挿し込み管の吐出孔より圧力水を吐出させると、長根菜の周囲の土に水が浸透して軟化するので、長根菜を容易に引き抜くことができる。
また、引抜き補助装置の構造が簡単であるため、安価な引抜き補助装置を提供することができる。
【０００９】
（２）上記(１)項において、基体に、複数１組の挿し込み管を、長根菜の植栽間隔とほぼ等しい間隔をもって、複数組設ける。
【００１０】
このような構成とすると、地面に植栽された複数の長根菜を、引抜き補助装置の１回当りの操作で、効率よく引き抜くことができる。
【００１１】
（３）上記(１)または(２)項において、各挿し込み管の下端にも吐出孔を設ける。
【００１２】
このような構成とすると、挿し込み管を地面に挿し込む際に、挿し込み管の下方の土を軟化させながら挿し込むことができるので、挿し込み管を軽い力で地中に挿し込むことができる。
【００１３】
（４）上記(１)〜(３)項のいずれかにおいて、基体に、複数のエルボ管を、各分流路と連通するように着脱可能に取付けるとともに、各エルボの下端部に、挿し込み管の上端部を着脱可能に取付ける。
【００１４】
このような構成とすると、エルボ管や挿し込み管を、引き抜こうとする長根菜の太さや長さに適したものと容易に交換することができる。
【００１５】
(５)地面に植栽されている長根菜を引き抜く際に使用する引抜き補助装置であって、圧力水供給源に接続され、内部に送水路を有する基体と、圧力水を吐出可能な複数の吐出孔を有する内筒とそれを囲む外筒との間に、下端が閉塞された環状の通水路が形成され、かつ前記基体に、前記送水路と通水路とが連通するようにして上端部が接続された、前記長根菜の全周を囲むようにして地面に挿し込み可能な挿し込み管とを備えるものとする。
【００１６】
このような構成とすると、長根菜の全周の土を、挿し込み管により囲んだ状態で、内筒の吐出孔より圧力水を吐出させることにより、圧力水を広範囲に拡散させることなく、挿し込み管により囲まれた長根菜の周囲の土にのみ集中的に吐出させることができる。従って、長根菜の周囲の土が、短時間で軟化し、長根菜の引き抜き作業を効率よく行うことができる。
【００１７】
(６)上記(５)項において、基体に、複数の挿し込み管を、長根菜の植栽間隔とほぼ等しい間隔をなすようにして設ける。
【００１８】
このような構成とすると、地面に植栽された複数の長根菜を、引抜き補助装置の１回当りの操作で効率よく引き抜くことができる。
【発明の効果】
【００１９】
本発明によれば、長根菜を囲む土を、水により軟化させることにより、すなわち、その流動性を高めることにより、長根菜を容易に、かつ損傷させずに引き抜くことができるので、従来のように、長根菜の植栽畝の一側部の土を、スコップ等により深く掘り起こして除去したりする必要がない。
【図面の簡単な説明】
【００２０】
【図１】本発明の第１の実施形態の引抜き補助装置と、圧力水供給源との斜視図である。
【図２】同じく、第１の実施形態の引抜き補助装置の分解斜視図である。
【図３】同じく、第１の実施形態の引抜き補助装置により長根菜を引き抜く要領を示す縦断面図である。
【図４】図３のIV−IV線拡大横断平面図である。
【図５】本発明の第２の実施形態の引抜き補助装置の斜視図である。
【図６】同じく、第２の実施形態の引抜き補助装置により長根菜を引き抜く要領を示す拡大横断平面図である。
【図７】本発明の第３の実施形態の引抜き補助装置の斜視図である。
【図８】同じく、第３の実施形態の引抜き補助装置により長根菜を引き抜く要領を示す拡大横断平面図である。
【図９】本発明の第４の実施形態の引抜き補助装置の平面図である。
【図１０】同じく、第４の実施形態の引抜き補助装置により長根菜を引き抜く要領を示す拡大横断平面図である。
【図１１】本発明の第５の実施形態の引抜き補助装置の縦断面図である。
【図１２】図１１のXII−XII線横断平面図である。
【図１３】第５の実施形態の引抜き補助装置により長根菜を引き抜く要領を示す縦断面図である。
【図１４】図１３のXIV−XIV線横断平面図である。
【発明を実施するための形態】
【００２１】
以下、本発明の長根菜の引抜き補助装置の第１の実施形態を、図１〜図４を参照して説明する。
図１及び図２に示すように、引抜き補助装置１は、金属または合成樹脂よりなる方形ブロック状の基体２と、その１側面に取付けられた、弁開閉ハンドル３ａを有する流量調節弁３と、基体２の互いに背向する２側面に、エルボ管４、４を介して対向状に取付けられた縦長の１対の挿し込み管５、５とを備えている。
【００２２】
基体２の上面には、引抜き補助装置１の操作を容易とするために、下向きコ字状の把手６が取り付けられている。
また、基体２の内部には、流量調節弁３とエルボ管４、４側に開口する平面視Ｔ字状の分流路(図示略)が形成され、エルボ管４、４側に開口された互いに対向する２方向の分流路７には、めねじ８が形成されている。このめねじ８に、エルボ管４の一端側に形成したおねじ９を、シールテープ等を巻回して水密的に螺合することにより、両エルボ管４は、その水平部が基体２に着脱可能として取り付けられている。なお、エルボ管４を着脱可能とするのは、引き抜く長根菜の太さに応じて、図２に示すように、左右寸法の異なるエルボ管４と交換しうるようにするためである。
【００２３】
挿し込み管５、５は、下端が閉塞されるとともに、下端部を先細り状とした金属または硬質合成樹脂製のパイプよりなり、互いの対向面には、内向き対向状に水を吐出可能な複数の吐出孔１０が、上下方向に等間隔おきに列設されている。なお、下方にも水が吐出するように、挿し込み管５の下端にも吐出孔１０(図４参照)を設けてある。このようにすると、挿し込み管５を地中に挿し込む際に、その下方の土が軟らかくなるので、挿し込み管５を地中に挿し込みやすくなる。また、水が拡散して吐出するように、各吐出孔１０に、拡散型ノズルを取り付けてもよい。
【００２４】
挿し込み管５は、その上端部に形成されたおねじ部１１を、エルボ管４の下端部の内面に設けためねじ(図示略)に水密的に螺合することにより、基体２に着脱可能に取り付けられている。なお、挿し込み管５を着脱可能とするのは、引き抜く長根菜の長さに応じて、図２に示すように、上下寸法の異なる挿し込み管５と交換しうるようにするためである。
【００２５】
引抜き補助装置１の流量調節弁３には、耐圧性のホース１２の一端が接続され、このホース１２の他端は、圃場に搬入された可搬式のエンジンポンプ１３の吐出部に接続されている。エンジンポンプ１３の吸引部には、給水ホース１４の一端が接続され、この給水ホース１４の他端は、圃場に設置された貯水タンク１５に、開閉バルブ１６を介して接続されている。これにより、貯水タンク１５の水を、エンジンポンプ１３により加圧して、引抜き補助装置１に供給しうるようになっている。なお、上記エンジンポンプ１３と貯水タンク１５とにより、圧力水の供給源を構成している。
引抜き補助装置１に圧力水を供給する手段としては、エンジンポンプ１３に代えて、電動ポンプや農耕用の噴霧器等を使用したり、または水道管に接続してその水道水を直接使用してもよい。
また、圃場の近くに川や貯水池があり、それらの水を使用しうるときには、貯水タンク１５は不要である。
【００２６】
次に、図３及び図４を参照して、上記実施形態の引抜き補助装置１により、圃場に植栽された、例えば長芋等の長根菜１７を引き抜く要領について説明する。
上述したように、まず、基体２に、長根菜１７の太さ及び長さに適したエルボ管４と挿し込み管５を取付けたのち、エンジンポンプ１３を作動させ、ホース１２を介して基体２の流量調節弁３に圧力水を供給する。流量調節弁３の弁開閉ハンドル３ａは、まだ閉じておく。
【００２７】
ついで、１対の挿し込み管５、５を、植栽畝１８の上方に露出している長根菜１７を跨ぐようにして、かつ長根菜１７の両側部に沿って植栽畝１８の地中に深く挿し込む。この際、流量調節弁３の弁開閉ハンドル３ａを若干開いて、圧力水を挿し込み管５に供給し、各吐出孔１０より水を吐出させながら挿し込むのが好ましい。このようにすると、挿し込み管５に設けた各吐出孔１０に土が入り込んで、目詰まりするのを防止することができる。
また、挿し込み管５の下端に設けた吐出孔１０より吐出する圧力水により、挿し込み管５の下方の土が軟化するので、挿し込み管５が挿し込みやすくなる。
【００２８】
ついで、流量調節弁３の弁開閉ハンドル３ａを開側に回動させて、各挿し込み管５に供給される圧力水の流量及び水圧を増大させる。すると、両挿し込み管５の対向面の複数の吐出孔１０より、圧力水１９が勢いよく吐出して、長根菜１７を囲む土の２箇所、すなわち、長根菜１７と対向する２箇所の土に集中的に水が浸透し、長根菜１７の周囲の土を軟化させ、その流動性が高める。
【００２９】
ついで、長根菜１７の周囲の土が十分に軟化したことを確認してから、弁開閉ハンドル３ａを閉じて両挿し込み管５への給水を停止し、両挿し込み管５を地中より抜去したのち、長根菜１７を手で引き抜く。この際、長根菜１７の周囲の土が軟らかくなっているので、切損や損傷するのを防止して容易に引き抜くことができる。このような要領で、植栽畝１８の複数の長根菜１７を、順次効率よく引き抜いて収穫することができる。
【００３０】
図５及び図６は、本発明の第２の実施形態の引抜き補助装置を示すもので、この例の引抜き補助装置２０は、４本１組の挿し込み管５を、各挿し込み管５が平面視において互いに９０度離間するようにして装着したものである。
すなわち、基体２の４側面に、エルボ管４を、内部に形成した平面視十文字状の分流路(図示略)と連通するするように、上記第１の実施形態と同様に着脱可能に取付けるとともに、各エルボ管４の下端部に、挿し込み管５の上端部を着脱可能に螺合して取り付けてある。各挿し込み管５は、それらにより囲まれる仮想軸線を中心とする円周方向に、９０度ずつ離間させて配設されている。仮想軸線を挟んで対向する各挿し込み管５、５の対向面と下端には、上記第１の実施形態と同様の吐出孔１０が形成されている。
【００３１】
基体２の上面には、内部の流路と連通する、流量調節弁３付きの送水管２１と、把手６とが取付けられ、流量調節弁３にホース１２を接続することにより、上記第１実施形態と同様に、各挿し込み管５に圧力水が供給されるようになっている。
【００３２】
第２の実施形態の引抜き補助装置２０により、例えば長芋等の長根菜１７を引き抜くには、図６の拡大横断平面図に示すように、４本の挿し込み管５を、長根菜１７を２方向より跨ぐようにして植栽畝１８の地中に挿し込み、各挿し込み管５の吐出孔１０より圧力水１９を吐出させ、上記第１の実施形態と同じ要領で、長根菜１７を引き抜けばよい。
【００３３】
第２の実施形態の引抜き補助装置２０においては、長根菜１７を囲む地中の４箇所に、４本一組よりなる挿し込み管５により、４側方から圧力水１９が吐出されるので、長根菜１７の周囲の土を短時間で軟化させることができ、上記第１の実施形態の引抜き補助装置１に比して、長根菜１７の引き抜き作業が能率的となる。
なお、この第２の実施形態の引抜き補助装置２０においては、基体２を、円形または四角形以上の多角形とすれば、挿し込み管５を４本以上設けることもできる。
【００３４】
図７及び図８は、本発明の第３の実施形態の引抜き補助装置２２を示す。
この第３の実施形態の引抜き補助装置２２は、上記と同様の流量調節弁３を有する長寸とした基体２３の長手方向の両側面に、１対で１組の挿し込み管５、５を、上記実施形態と同様に、基体２３の内部の分流路(図示略)と連通させたエルボ管４を介して、複数組(３組)取り付けてある。長手方向に隣接する挿し込み管５の間隔は、植栽畝１８の長根菜１７の植栽間隔とほぼ等しくしてある。基体２３の上面には、引抜き補助装置２２の操作を容易とするために、把手６が取り付けられている。
【００３５】
第３の実施形態の引抜き補助装置２２によれば、図８の横断平面図に示すように、植栽畝１８に、複数組の挿し込み管５、５を、植栽畝１８の複数の長根菜１７を両側方より跨ぐようにして挿し込み、各挿し込み管５の吐出孔１０より圧力水１９を吐出させることにより、複数の長根菜１７の両側部の土を同時に軟化させることができる。従って、１回当りの引抜き補助装置２２の操作で、複数の長根菜１７を効率よく引き抜いて収穫することができる。
【００３６】
図９及び図１０は、本発明の第４の実施形態の引抜き補助装置２４、すなわち、上記第２、第３の実施形態の引抜き補助装置２０、２２の変形例を示す。
第４の実施形態の引抜き補助装置２４は、図９の平面図に示すように、第３の実施形態よりもさらに長寸とした基体２３の長手方向の両側面に、上記第３の実施形態の引抜き補助装置２２と同様の挿し込み管５、５を、長根菜１７の植栽間隔とほぼ等しい間隔で複数組取付けるとともに、基体２３の下面の中央部に、その内部の分流路２５と連通する上下方向を向く複数(４本)の挿し込み管５の上端部を、基体２３の両側部の互いに対向する１対の挿し込み管５、５と直交するように、長手方向に所定間隔おきに、かつ着脱可能に装着してある。なお、中央部の互いに隣接する挿し込み管５間の間隔は、基体２３の両側部の互いに対向する挿し込み管５、５の間隔とほぼ等しくしてある。
中央部の各挿し込み管５における長根菜１７と対向する両側面には、複数の吐出孔１０、１０が、上下方向に所定間隔おきに列設されている。
【００３７】
第４の実施形態の引抜き補助装置２４によれば、図１０の拡大横断平面図に示すように、植栽畝１８の複数の長根菜１７を囲む４箇所の地中に、基体２３の両側部の互いに対向する１対の挿し込み管５、５と、中央部の互いに隣接する挿し込み管５、５とからなる４本１組ずつの挿し込み管５を挿し込むことにより、それらの吐出孔１０より長根菜１７に向かって４方向より圧力水１９を吐出させることができるので、複数の長根菜１７の周囲の土を短時間で同時に軟化させることが可能となり、上記第３の実施形態の引抜き補助装置２２に比して、長根菜１７の引き抜き作業が能率的となる。
なお、この第４の実施形態では、中央部の挿し込み管５を、互いに隣接する長根菜１７、１７に対し共用しているが、長根菜１７の植栽間隔が大きい場合には、各長根菜１７毎に４本１組の挿し込み管５を、複数組設けてもよい。
【００３８】
図１１〜図１４は、本発明の第５の実施形態の引抜き補助装置２７を示す。
この第３の実施形態の引抜き補助装置２７は、中央部に円周方向に並ぶ複数の上下方向の送水孔２８を有する方形かつ厚肉の基体２９と、この基体２９の上面に、パッキン３０を介してねじ３１により固定され、各送水孔２８と対向する下面に上向きの凹部３２を有する上蓋３３と、基体２９の下面に着脱可能に取付けられた円筒形の挿し込み管３４とを備えている。
【００３９】
上蓋３３の中心部に形成された上下方向のめねじ孔３５には、流量調節弁３６を取付けたエルボ状の送水管３７が螺着され、この送水管３７には、流量調節弁３６及びそれに接続したホース１２を介して、上述したエンジンポンプ１３等よりなる圧力水供給源から圧力水が供給されるようになっている。
【００４０】
挿し込み管３４は、内筒３４ａと、その下端部の外周面に内周面の下端部が溶接された、内筒３４ａの周囲を離間して囲む外筒３４ｂとからなり、内筒３４ａの外周面と外筒３４ｂの内周面との間には、下端が閉塞され、上方が開口する環状の通水路３８が形成されている。外筒３４ｂの下端部は、地中に挿し込みやすくするために、先細り状としてある。
内筒３４ａには、通水路３８と連通する求心方向を向く複数(実施例では８個)の吐出孔３９が、上下方向に所定間隔おきに多数列設されている(図１４参照)。
【００４１】
挿し込み管３４の上端部は、基体２９の下面に形成された、各送水孔２８と連通する環状溝４０内に、パッキン４１、４１を介して、着脱可能かつ水密性を保持して嵌合され、外筒３４ｂの上端部外周面に、基体２９の側面より螺合した４本の止めねじ４２の先端を圧接させることにより、抜け止めされている。挿し込み管３４は、長根菜の長さに対応して、上下寸法の異なるものと交換しうるようになっている。
【００４２】
第５の実施形態の引抜き補助装置２７により、例えば牛蒡等の長根菜１７を引き抜くには、図１３及び図１４に示すように、挿し込み管３４の環状の通水路３８に圧力水を供給し、内筒３４ａの各吐出孔３９より圧力水１９を吐出させた状態で、挿し込み管３４を、長根菜１７の全周を囲むようにして植栽畝１８の地中に挿し込む。この際、挿し込み管３４は、内外二重管構造をなし、内筒３４ａに設けた吐出孔３９より圧力水１９を吐出させているので、挿し込み管３４を植栽畝１８に挿し込む前に圧力水を供給しても、圧力水１９が周囲に飛散することがない。
このように、挿し込み管３４を植栽畝１８に挿し込む前に圧力水を供給すると、各挿し込み管３４の吐出孔３９より吐出した圧力水１９が、長根菜１７の周囲の植栽畝１８の上部に流れ落ちて浸透し、その部分の土が軟化するので、挿し込み管３４を地中に挿し込みやすくなる。
【００４３】
地中の挿し込まれた挿し込み管３４の内筒３４ａより、引き続き圧力水１９を所定時間吐出させ、長根菜１７の周囲の土が十分に軟化したことを確認してから、給水を停止して挿し込み管３４を地中より抜去したのち、長根菜１７を手で引っ張れば、これを容易に引き抜くことができる。
【００４４】
この実施形態においては、長根菜１７の周囲の土が円筒形の挿し込み管３４により囲まれているので、内筒３４ａより吐出する圧力水１９を広範囲に拡散させることなく、挿し込み管３４により囲まれた長根菜１７の周囲の土のみに、圧力水１９を集中的に吐出させることができる。その結果、長根菜１７の周囲の土が短時間で軟化するので、その引き抜き作業を効率よく行うことができる。
【００４５】
なお、この第５の実施形態の引抜き補助装置２７においても、基体２９の下面に複数の挿し込み管３４を取り付けて、複数の長根菜１７を効率よく引き抜くようにすることもできる。この際には、基体２９及び上蓋３３を植栽畝１７の方向に長寸として、基体２９の下面に、複数の挿し込み管３４を、上記と同じ要領で所定間隔おきに取付けるとともに、基体２９と上蓋３３間において、複数の挿し込み管３４同士を流路により連通させ、それらに圧力水を同時に供給しうるようにすればよい。
【００４６】
また、第５の実施形態の引抜き補助装置２７の挿し込み管３４を、円筒形ではなく、例えば楕円形や六角形等の非円筒形のものとしてもよい。
【符号の説明】
【００４７】
１  引抜き補助装置
２  基体
３  流量調節弁
３ａ弁開閉ハンドル
４  エルボ管
５  挿し込み管(パイプ)
６  把手
７  分流路
８  めねじ
９  おねじ
１０  吐出孔
１１  おねじ部
１２  ホース
１３  エンジンポンプ(圧力水供給源)
１４  給水ホース
１５  貯水タンク(圧力水供給源)
１６  開閉バルブ
１７  長根菜
１８  植栽畝
１９  圧力水
２０  引抜き補助装置
２１  送水管
２２  引抜き補助装置
２３  基体
２４  引抜き補助装置
２５  流路
２７  引抜き補助装置
２８  送水孔(送水路)
２９  基体
３０  パッキン
３１  ねじ
３２  凹部
３３  上蓋
３４  挿し込み管
３４ａ内筒
３４ｂ外筒
３５  めねじ孔
３６  流量調節弁
３７  送水管
３８  通水路
３９  吐出孔
４０  環状溝
４１  パッキン
４２  止めねじ
【図１】
0005792604.tif 000002
【図２】
0005792604.tif 000003
【図３】
0005792604.tif 000004
【図４】
0005792604.tif 000005
【図５】
0005792604.tif 000006
【図６】
0005792604.tif 000007
【図７】
0005792604.tif 000008
【図８】
0005792604.tif 000009
【図９】
0005792604.tif 000010
【図１０】
0005792604.tif 000011
【図１１】
0005792604.tif 000012
【図１２】
0005792604.tif 000013
【図１３】
0005792604.tif 000014
【図１４】
0005792604.tif 000015